(57)【要約】【課題】  開閉機構部の金属製のフレーム枠に軸支しても、軸部の左右方向から外れて位置する押圧部にバイメタルが作用してもねじれが生じてトリガレバーの作動が遅れることのない配線用遮断器を提供する。【解決手段】  レバー部１１の上端に幅方向に複数極のバイメタルに対応する数の押圧部１２を配設した桁板部１３を設けたトリガレバー１の前記レバー部１１の下端を開閉機構部３のフレーム枠４に軸支する配線用遮断器において、前記レバー部１１をフレーム枠４の両脚板部４１、４１間に介在させる主レバー部１１ａと両脚板部４１、４１の外側に位置する副レバー部１１ｂ、１１ｂよりなるものとして、主レバー部１１ａと両副レバー部１１ｂ、１１ｂの下端の軸受部１１２をフレーム枠４の両脚板部４１、４１の軸孔４１ａ、４１ａに貫通支持させたピン軸５に軸支する。【選択図】  図２
2006228655.tif 000002
【特許請求の範囲】
【請求項１】
レバー部の上端に幅方向に複数極のバイメタルに対応する数の押圧部を配設した桁板部を設けたトリガレバーの前記レバー部の下端を開閉機構部のフレーム枠に軸支する配線用遮断器において、前記レバー部をフレーム枠の両脚板部間に介在させる中央の主レバー部と両脚板部の外側に位置する副レバー部よりなるものとして、主レバー部と両副レバー部の下端の軸受部をフレーム枠の両脚板部の軸孔に貫通支持させたピン軸に軸支したことを特徴とする配線用遮断器。
【請求項２】
レバー部の上端に設けた桁板部に配設した押圧部の数が３極のバイメタルに対応するトリガレバーであり、両副レバー部の外側端面がそれぞれ桁板部に配設した３極の押圧部の左右の極と中央の極との中間位置まで張出させた請求項１に記載の配線用遮断器。
【発明の詳細な説明】
【技術分野】
【０００１】
本発明は、バイメタルにより押圧されて回路を遮断するトリガレバーを備えた配線用遮断器に関するものである。
【背景技術】
【０００２】
バイメタルにより押圧されて回路を遮断するトリガレバーを備えた配線用遮断器は、合成樹脂製ケースにトリガレバーを軸支した場合にケースの膨張・収縮により金属製のフレーム枠に組み込んだラッチとの係合状態に狂いがおきる。そこでケースの膨張・収縮による影響を避けるためトリガレバーをケースに軸支せずトリガレバーの下端を開閉機構部の金属製のフレーム枠の両脚板部間介在させたピンなどで軸支したものがある。
ところが、これは複数極のバイメタルに対応する数の押圧部を一連に配設したものにあっては、軸部の左右方向から外れて位置する押圧部があることとなる（例えば、特許文献１参照）。
そのため、例えば３極の押圧部がある場合には軸部から外れた左右の極のどちらか一方のバイメタルが作用した場合に、軸部からずれている位置のトリガレバーの上部が押圧されるので、力が加わる作用点が軸部から偏った位置にあるため、ねじれが生じてトリガレバーの作動が遅れるという問題がある。
【０００３】
そこで、このねじれが生じないものとするためトリガレバーの厚みを大きくして強度を増すようにして対処すれば厚みを大きくした分配線用遮断器の全体形状が大きくなり協約型の規格から外れるという問題がある。
【特許文献１】特開２０００−２５１６０７号公報（段落０００７の記載及び図５（Ｂ）参照）
【発明の開示】
【発明が解決しようとする課題】
【０００４】
本発明は前記のような問題点を解決して、開閉機構部の金属製のフレーム枠に軸支しても、軸部の左右方向から外れて位置する押圧部にバイメタルが作用してもねじれが生じてトリガレバーの作動が遅れることのない配線用遮断器を提供するものである。
【課題を解決するための手段】
【０００５】
本発明の配線用遮断器は、レバー部の上端に幅方向に複数極のバイメタルに対応する数の押圧部を配設した桁板部を設けたトリガレバーの前記レバー部の下端を開閉機構部のフレーム枠に軸支する配線用遮断器において、前記レバー部をフレーム枠の両脚板部間に介在させる中央の主レバー部と両脚板部の外側に位置する副レバー部よりなるものとして、主レバー部と両副レバー部の下端の軸受部をフレーム枠の両脚板部の軸孔に貫通支持させたピン軸に軸支したことを特徴とするものを請求項１に係る発明とする。そして、この請求項１に係る発明において、レバー部の上端に設けた桁板部に配設した押圧部の数が３極のバイメタルに対応するトリガレバーであり、両副レバー部の外側端面がそれぞれ桁板部に配設した３極の押圧部の左右の極と中央の極との中間位置まで張出させたものを請求項２に係る発明とする。
【発明の効果】
【０００６】
請求項１に記載した発明は、トリガレバーのレバー部をフレーム枠の両脚板部間に介在させる中央の主レバー部と両脚板部の外側に位置する副レバー部よりなるものとして、主レバー部と両副レバー部の下端の軸受部をフレーム枠の両脚板部の軸孔に貫通支持させたピン軸に軸支したものであるから、主レバー部から左右方向から外れて位置する一方のみの押圧部に対応したバイメタルが過電流により発熱して湾曲して該押圧部を押しても副レバー部があることにより、トリガレバーにねじれが生じてトリガレバーの作動が遅れて回路の遮断が遅延する虞の無いものである。
【０００７】
また、請求項２に記載した発明は、レバー部の上端に設けた桁板部に配設した押圧部の数が３極のバイメタルに対応するトリガレバーであり、両副レバー部の外側端面が桁板部に配設した３極の押圧部の左右の極と中央の極との中間位置まで張出させたものであるから、３極という桁板部の幅方向の長さが長いトリガレバーであっても、さらにねじれにくいものである。
【発明を実施するための最良の形態】
【０００８】
次に、本発明の好ましい実施の形態を図面に基づき説明する。
１はレバー部１１の上端に幅方向に複数極すなわち３極のバイメタル２に対応する数の押圧部１２を配設した桁板部１３を設けたトリガレバーである。このトリガレバー１は前記レバー部１１の下端を開閉機構部３の金属製のフレーム枠４に軸支されるものである。なお、フレーム枠４は一対の脚板部４１、４１を開閉機構部３のリンク機構等が組み込める間隔をもって立設して両脚板部４１、４１の上端の前後に折曲形成した上桁部４２、４２で連結したものである。また、前記レバー部１１はフレーム枠４の両脚板部４１、４１間に介在する中央の主レバー部１１ａと脚板部４１を介入できる切込み１１１を挟んで両脚板部４１、４１の外側に位置する副レバー部１１ｂ、１１ｂよりなるものとしている。なお、レバー部１１の上端に設けた桁板部１３に配設した押圧部１２の数が３極のバイメタル２に対応するトリガレバー１である場合には、両副レバー部１１ｂ、１１ｂの外側端面が桁板部１３に配設した３極の押圧部１２の左の極と中央の極及び右の極と中央の極とのそれぞれの中間位置まで張出させたものとしている。
【０００９】
また、前記レバー部１１は、フレーム枠４の両脚板部４１、４１に透設した軸孔４１ａ、４１ａに、両脚板部４１、４１間に架設される主軸部５ａと該主軸部５ａの両端に連設した両脚板部４１、４１の外側に突出させた副軸部５ｂ、５ｂよりなるピン軸５を貫通支持させて、主レバー部１１ａの下端の軸受部１１２をピン軸５の主軸部５ａに両副レバー部１１ｂ、１１ｂの軸受部１１２、１１２を両副軸部５ｂ、５ｂに軸支している。
【００１０】
なお、開閉機構部３はハンドル３１のオン、オフの作動によりリンク機構のクロスバー押圧部３２が常時接点の開離方向に付勢されているクロスバー３３の押圧と押圧解除をしてクロスバー３３に設けた３極の可動接点３３ａ、３３ａ、３３ａをオン状態、オフ状態とするものである。また、この開閉機構部３には、ハンドル３１がオン、オフをとるときに安定状態を保持するラッチ３４が組み込まれており図６に示すようにその先端が前記トリガレバー１の係合部１４に係合されている。
【００１１】
そして、図５、図６に示すオン状態において回路に過電流が流れた場合にその回路のバイメタル２が発熱により湾曲してトリガレバー１の押圧部１２を押して、トリガレバー１を下端の軸受部１１２を支点に作動して、図８に示すようにトリガレバー１の係合部１４から前記ラッチ１４の先端が外れて、ハンドル３１がトリップ状態となり、クロスバー押圧部３２がクロスバー３３への押圧を解除して可動接点３３ａが固定接点３３ｂから開離して回路が強制的に遮断されるものである。
【００１２】
また、前記レバー部１１の上端に設けた桁板部１３の幅方向に複数極のすなわち３極のバイメタル２に対応して配設した各押圧部１２は、桁板部１３の後方側すなわち開閉機構部３とは反対側にバイメタル２が貫通する枠部１２１を設けて、バイメタル２が電流により発熱し後方側に湾曲するものとして、バイメタル２に過電流が流れた場合枠部１２１の後枠板部１２１ａを押圧する構成として、トリガレバー１を下端の軸受部を支点に作動して、トリガレバー１の係合部１４から前記ラッチが外れるものとしている。なお、後枠板部１２１ａに設けた調節ネジ１２１ｂはバイメタル２の引き外し特性の調整をするためのものである。
【００１３】
前記したように、レバー部１１の上端に幅方向に複数極すなわち３極のバイメタル２に対応する３つの押圧部１２を配設した桁板部１３を設けたトリガレバー１は、レバー部１１の下端をラッチ１４を組み込んだ開閉機構部３の金属製のフレーム枠４に軸支しているので、合成樹脂製ケースの膨張・収縮の影響を受けず安定して作動するものである。
【００１４】
また、レバー部１１はフレーム枠４の両脚板部４１、４１に介在する中央の主レバー部１１ａと両脚板部４１、４１の外側に位置する副レバー部１１ｂ、１１ｂからなるものであるから、主レバー部１１ａから左右方向から外れて位置する一方のみの押圧部１２に対応したバイメタル２が過電流により発熱して湾曲して該押圧部１２を押しても、両脚板部４１、４１の外側に突出させた副軸部５ｂに下端の軸受部１１２を軸支した副レバー部１１ｂがあることにより、トリガレバー１にねじれが生じてトリガレバー１の作動が遅れて回路の遮断が遅延する虞の無いものである。
【００１５】
なお、レバー部１１の上端に設けた桁板部１３に配設した押圧部１３の数が３極のバイメタル２に対応するトリガレバー１である場合には、両副レバー部１１ｂ、１１ｂの外側端面がそれぞれ桁板部１３に配設した３極の押圧部１２の左の極と中央の極及び右の極と中央の極との中間位置まで張出させたものとすれば、３極の押圧部１２を配置して桁板部の幅方向の長さが長いトリガレバー１であっても、さらにねじれにくいものとなる。
【図面の簡単な説明】
【００１６】
【図１】実施形態の要部を示す斜視図である。
【図２】実施形態のトリガレバーと開閉機構部を分離して示す斜視図である。
【図３】実施形態のトリガレバーのフレーム枠への軸支状態を示す斜視図である。
【図４】実施形態の要部を示す平面図である。
【図５】実施形態のオン状態を示す一部切欠斜視図である。
【図６】オン状態を示す要部の側面図である。
【図７】実施形態のトリップ状態を示す一部切欠斜視図である。
【図８】トリップ状態を示す要部の側面図である。
【符号の説明】
【００１７】
１  トリガレバー
11  レバー部
11a  主レバー部
11b  副レバー部
112  軸受部
12  押圧部
13  桁板部
２  バイメタル
３  開閉機構部
４  フレーム枠
41  脚板部
41a  軸孔
５  ピン軸
【図１】
2006228655.tif 000003
【図２】
2006228655.tif 000004
【図３】
2006228655.tif 000005
【図４】
2006228655.tif 000006
【図５】
2006228655.tif 000007
【図６】
2006228655.tif 000008
【図７】
2006228655.tif 000009
【図８】
2006228655.tif 000010